(57)【要約】【課題】内側窓戸２００と外側窓戸１００とを有する窓において、外側窓戸１００に適用できる窓戸開放制限装置を提供する。【解決手段】スライド移動する外側窓戸１００と内側窓戸２００とを有する窓に用いる窓戸開放制限装置４００であって、内側窓戸２００の内側面に固定される筐体４１０と、筐体４１０に内側窓戸２００の厚み方向に往復移動可能に支持され、外側窓戸１００の移動経路と干渉する進出状態と、外側窓戸１００の移動経路と干渉しない退避状態とを選択できる係止部材４２０と、筐体４１０に支持され、係止部材４２０を往復移動させる駆動機構と、を備える。【選択図】  図２
2014169584.tif 000002
【特許請求の範囲】
【請求項１】
スライド移動する外側窓戸と内側窓戸とを有する窓に用いる窓戸開放制限装置であって、
上記内側窓戸の内側面に固定される筐体と、
上記筐体に上記内側窓戸の厚み方向に往復移動可能に支持され、上記外側窓戸の移動経路と干渉する進出状態と、上記外側窓戸の移動経路と干渉しない退避状態とを選択できる係止部材と、
上記筐体に支持され、上記係止部材を往復移動させる駆動機構と、
を備えることを特徴とする、窓戸開放制限装置。
【請求項２】
上記駆動機構は、ソレノイドと、当該ソレノイドの駆動軸の往復動作を上記係止部材の往復移動に変換して伝動する伝動機構と、を含んでいる、請求項１に記載の窓戸開放制限装置。
【請求項３】
上記ソレノイドは、上記駆動軸が上記内側窓戸のスライド移動方向と平行となるように配置されており、上記伝動機構は、第１アームが上記駆動軸に、第２アームが上記係止部材に、それぞれ連携されたベルクランク機構である、請求項２に記載の窓戸開放制限装置。
【請求項４】
上記係止部材が進出状態にあるとき、当該係止部材の外力による退避方向への移動を阻止するロック機構をさらに備える、請求項３に記載の窓戸開放制限装置。
【請求項５】
上記ロック機構は、上記ベルクランク機構の上記第１アームに連携されて往復移動可能なロック板と、上記係止部材の適部に形成された係合凹部とを含み、上記係止部材が上記進出状態をとるとき、上記ロック板が上記係合凹部に係合に係合するように構成されている、請求項４に記載の窓戸開放制限装置。
【請求項６】
上記ソレノイドは、単動ソレノイドであり、上記ロック板は、ばねによりその往復移動方向一方側に付勢されており、上記ソレノイドの通電が解除されると、上記バネの付勢力により上記移動方向一方側に移動することにより、上記ベルクランク機構を介して、上記係止部材の上記退避状態への復帰動を助勢する、請求項５に記載の窓戸開放制限装置。
【請求項７】
上記外側窓戸および上記内側窓戸が全閉状態であることを検知する検知手段をさらに備える、請求項１ないし６のいずれかに記載の窓戸開放制限装置。
【請求項８】
上記検知手段は、上記外側窓戸に設置したマグネットと、上記筐体に支持され、上記マグネットの近接状態を検知するセンサと、を含んで構成されている、請求項７に記載の窓戸開放制限装置。
【発明の詳細な説明】
【技術分野】
【０００１】
本発明は、窓戸が所定以上開かない開放制限状態を選択できる窓戸開放制限装置に関する。
【背景技術】
【０００２】
この種の窓戸開放制限装置は、たとえば特許文献１に提案され、病院や施設等において、危険防止や防犯の目的で用いられる。同文献に提案された窓戸開放制限装置は、窓枠に固定される本体と、この本体から必要に応じて外向きに突出する状態と退避する状態を選択できる係止部材と、窓戸の内側に固定され、係止部材に係止しうるドグとを備える。
【０００３】
窓戸が全閉状態にあるときに係止部材を突出させると、窓戸は、所定の開き状態までスライドしたときにドグが係止部材に当接し、それ以上開き方向にスライドすることができなくなる。一方、係止部材が退避していると、ドグと係止部材との干渉がなくなり、窓戸は全開状態までスライドすることができる。
【０００４】
窓が、内側窓戸と外側窓戸の２枚の窓戸で構成される場合、上記した特許文献１の窓戸開放制限装置は、外側窓戸を窓枠に固定してスライド移動不能とし、スライド移動可能とした内側窓戸の開放制限を行う場合に使用可能であっても、外側窓戸の開放制限を行う場合には、使用が困難であるという問題があった。すなわち、本体は窓枠の室内側に取り付けられることから、突出させた係止部材が外側窓戸もしくはこれに取り付けたドグに届くようにするには、係止部材の突出、退避間のストロークを大きくせざるをえず、強度的に問題があるとともに、本体を室内側に大きく突出した大型のものにする必要があり、現実的ではないからである。
【０００５】
【特許文献１】特開２００３−７４２４７号公報
【発明の概要】
【０００６】
本発明は、上記した事情のもとで考え出されたものであって、内側窓戸と外側窓戸とを有する窓において、外側窓戸に適用できる窓戸開放制限装置を提供することをその課題とする。
【０００７】
上記課題を解決するため、本発明では、次の技術的手段を講じている。
【０００８】
本発明によって提供される窓戸開放制限装置は、スライド移動する外側窓戸と内側窓戸とを有する窓に用いる窓戸開放制限装置であって、上記内側窓戸の内側面に固定される筐体と、上記筐体に上記内側窓戸の厚み方向に往復移動可能に支持され、上記外側窓戸の移動経路と干渉する進出状態と、上記外側窓戸の移動経路と干渉しない退避状態とを選択できる係止部材と、上記筐体に支持され、上記係止部材を往復移動させる駆動機構と、を備えることを特徴とする。
【０００９】
好ましい実施の形態では、上記駆動機構は、ソレノイドと、当該軸動ソレノイドの駆動軸の往復動作を上記係止部材の往復移動に変換して伝動する伝動機構と、を含んでいる。
【００１０】
好ましい実施の形態では、上記ソレノイドは、上記駆動軸が上記内側窓戸のスライド移動方向と平行となるように配置されており、上記伝動機構は、第１アームが上記駆動軸に、第２アームが上記係止部材に、それぞれ連携されたベルクランク機構である。
【００１１】
好ましい実施の形態では、上記係止部材が進出状態にあるとき、当該係止部材の外力による退避方向への移動を阻止するロック機構をさらに備える。
【００１２】
好ましい実施の形態では、上記ロック機構は、上記ベルクランク機構の上記第１アームに連携されて往復移動可能なロック板と、上記係止部材の適部に形成された係合凹部とを含み、上記係止部材が上記進出状態をとるとき、上記ロック板が上記係合凹部に係合に係合するように構成されている。
【００１３】
好ましい実施の形態では、上記ソレノイドは、単動ソレノイドであり、上記ロック板は、バネによりその往復移動方向一方側に付勢されており、上記ソレノイドの電圧印加が解除されると、上記バネの付勢力により上記移動方向一方側に移動することにより、上記ベルクランク機構を介して、上記係止部材の上記退避状態への復帰動を助勢する。
【００１４】
好ましい実施の形態では、上記外側窓戸および上記内側窓戸が全閉状態であることを検知する検知手段をさらに備える。
【００１５】
好ましい実施の形態では、上記検知手段は、上記外側窓戸に設置したマグネットと、上記筐体に支持され、上記マグネットの近接状態を検知するセンサと、を含んで構成されている。
【００１６】
上記構成の窓戸開放制限装置によれば、外側窓戸と内側窓戸との関係において、相互の窓開放方向への所定以上の移動が制限されるので、全閉状態から外側窓戸の所定以上の開放を制限することと、内側窓戸の所定以上の開放を制限することとの、いずれをも行うことができる。
【図面の簡単な説明】
【００１７】
【図１】本発明の窓戸開放制限装置が設置された窓を室内側からみた図。
【図２】本発明の窓戸開放制限装置の図１のII-II線断面に相当する図であり、オン状態を示す。
【図３】図２のIII-III線に沿う断面図。
【図４】本発明の窓戸開放制限装置の図１のII-II線断面に相当する図であり、オフ状態を示す。
【図５】図４Ｖ-Ｖ線に沿う断面図。
【発明を実施するための形態】
【００１８】
以下、本発明の好ましい実施の形態を、図面を参照して具体的に説明する。
【００１９】
図１に表れているように、この窓戸開放制限装置４００は、外側窓戸１００と内側窓戸２００とを有する窓３１０に用いられる。建物の窓開口３００には、たとえば、アルミニウム材でできた窓枠３２０が装着され、この窓枠３２０には、外側窓戸１００と内側窓戸２００とがそれぞれ左右方向にスライド移動可能に装着される。通常、全閉状態において、室内側からみて左側に外側窓戸１００が、右側に内側窓戸２００が、それぞれ位置する。外側窓戸１００と内側窓戸２００は、それぞれ、たとえばアルミニウム材でできた戸枠１１０，２１０にガラス板１５０，２５０が嵌め込まれて構成され、窓枠３２０に形成された外側軌道３３１と内側軌道３３２（図２、図４参照）に沿ってスライド移動可能である。
【００２０】
窓戸開放制限装置４００は、内側窓戸２００の戸枠２１０の下部水平枠２１１の内側面に固定された筐体４１０を備える。筐体４１０は、たとえば、アルミニウムによって構成された横長矩形ボックス状をしており、その背板４１１に開けた孔（図示略）に通したねじ４１２を下部水平枠２１１にねじ付けるなどして固定される（図３、図５参照）。
【００２１】
筐体４１０は、内側窓戸２００の厚み方向に往復移動可能に支持された係止部材４２０と、この係止部材４２０を往復移動させるためのソレノイド４３０と、このソレノイド４３０の駆動軸４３２の作動を係止部材４２０の往復移動に変換して伝動するための伝動機構４４０とを備える。
【００２２】
係止部材４２０は、図２、図４に表れているように、たとえば、金属丸棒状をした係止ロッド４２０ａの形態を有しており、内側窓戸２００の厚み方向に軸線をもつようにして、筐体４１０に形成されたガイド４１３に軸方向スライド移動可能に支持されている。この係止ロッド４２０ａはまた、所定の長さを有しており、先端方が筐体４１０の背板４１１、戸枠２１０の下部水平枠２１１、当該下部水平枠２１１の外面に固定した補強ガイド板２１２にそれぞれ開けたガイド孔４１４，２１３，２１４を貫通して延びている。
【００２３】
ソレノイド４３０は、図２、図４に表れているように、本体部４３１と、この本体部４３１の中心部に貫通状に保持された駆動軸４３２とを備え、本体部４３１に対して右方に延出する駆動軸４３２の軸線が内側窓戸２００のスライド移動方向（下部水平枠２１１が延びる方向）と平行となるようにして筐体４１０に支持されている。このソレノイド４３０は、通電時に駆動軸４３２が図２、図４の左方に向けて引き込まれ、非通電時に内蔵のバネによって駆動軸４３２が図２、図４の右方に復帰動する単動式である。
【００２４】
伝動機構４４０は、第１アーム４４１が駆動軸４３２に、第２アーム４４２が係止ロッド４２０ａに、それぞれ連携されたベルクランク機構４４０Ａによって構成される。より具体的には、ベルクランク４４０ａは、図２および図４に示されているように、筐体４１０に設けた垂直の支軸４４４周りに回動可能に支持されるとともに、第１アーム４４１の先端が駆動軸４３２と一体的な縦板状の連結部材４３３に開けた孔４３４に遊挿され、第２アーム４４２の先端の水平板部に開けた孔が係止ロッド４２０ａの基端部に設けた縦方向のピン４２１に遊嵌されている。
【００２５】
図４に示されているように、ソレノイド４３０は、非通電時においては、駆動軸４３２は進出位置をとり、このとき、ベルクランク４４０ａは図４の矢印ｑ方向の回動位置をとるとともに、係止ロッド４２０ａは下部水平枠の外面から突出しない退避状態をとる。一方、ソレノイド４３０の通電状態においては、図２に示されているように、駆動軸４３２は引き込まれ、このとき、ベルクランク４４０ａは図２の矢印ｐ方向の回動位置をとるとともに、係止ロッド４２０ａは下部水平枠２１１の外面から所定長さ突出した進出位置をとる。このようにして、係止ロッド４２０ａは、ソレノイド４３０の作動により、ベルクランク機構４４０Ａを介して、進出状態と、退避状態との間を往復移動させられる。
【００２６】
本実施形態の窓戸開放制限装置４００では、係止ロッド４２０ａが進出状態にあるとき、外力によって退避方向へ移動させられることを防止するためのロック機構４５０Ａを設けている。
【００２７】
このロック機構４５０Ａは、ベルクランク４４０ａの第１アーム４４１に連携されて往復移動可能なロック板４５０と、係止ロッド４２０ａに形成された係合凹部４２２とを含んで構成されている。ロック板４５０は、筐体４１０の背板４１１に沿うようにして配置されており、その長手方向一端部と他端部付近に形成された、水平方向に延びる長穴４５１，４５２を、背板４１１に設けたピン４１５，４１６に遊嵌させることにより、長穴４５１，４５２に対してピン４１５，４１６が相対的に移動できる範囲で水平方向に往復移動可能に支持されている。ロック板４５０はまた、その長手方向中間部が背板４１１に対して離間する離間部４５３が屈曲形成されており、この離間部４５３に設けた係止孔４５４に第１アーム４４１の先端が遊挿されている。これにより、ソレノイド４３０の作動によって回動させられるベルクランク４４０ａの回動により、ロック板４５０は水平方向に往復移動可能である。また、このロック板４５０は、ばね４６０により、常時ソレノイド４３０から離れる方向に付勢されている。
【００２８】
係止ロッド４２０ａには、ソレノイド４３０と反対側の側面に係合凹部４２２が形成されているとともに、ロック板４５０の適部には、係合凹部４２２に係合しうる係合縁４５５が形成されている。
【００２９】
筐体４１０内にはまた、ソレノイド４３０の通電時に、駆動軸４３２が正常に引き込み動をしているかどうかを検出するためのマイクロスイッチ４７０が設置されている。
【００３０】
本実施形態の窓戸開放制限装置４００においてはまた、外側窓戸１００と内側窓戸２００が全閉状態にあることを検出する全閉検出機構５００が付加されている。この全閉検出機構５００は、外側窓戸１００に設置したマグネット５１１と、内側窓戸２００に設置され、マグネット５１１の近接状態を検出するマグネットセンサ５２０を含んで構成されている。本実施形態では、マグネット５１１は、外側窓戸１００の右側縦枠１１２の側面に取付けたドグ５１０に埋設されている。ドグ５１０は、外側窓戸１００と内側窓戸２００が相対的にスライド移動するときに、進出状態にある係止ロッド４２０ａに干渉しうる位置に設置されている。マグネットセンサ５２０は、内側窓戸２００の下部水平枠２１１の外面に臨むようにして、下部水平枠２１１に埋設したホルダ２１５に保持されている。なお、このマグネットセンサ５２０は、外側窓戸１００と内側窓戸２００が全閉状態にあるとき、マグネット５１１と最も近接する位置に設置されている。
【００３１】
マイクロスイッチ４７０から延びる信号線（図示略）、ソレノイド４３０から延びる導線（図示略）、マグネットセンサ５２０から延びる信号線（図示略）は、筐体４１０から引き出され、図示しない中央管理装置まで配線されている。
【００３２】
次に、上記構成の窓戸開放制限装置４００の作動を説明する。
【００３３】
窓戸開放制限装置４００がオフの場合、すなわち、ソレノイド４３０が非通電状態のときには、図４に示すように、ソレノイド４３０の駆動軸４３２は進出状態にあり、これに伴い、ベルクランク４４０ａは矢印ｑ方向の回動位置にあり、係止ロッド４２０ａは退避状態にあり、ロック板４５０は図４、図５の右方に位置させられ、係合縁４５５は、係止ロッド４２０ａから離間している。この状態においては、係止ロッド４２０ａが外側窓戸１００のドグ５１０に干渉することがないので、外側窓戸１００と内側窓戸２００のいずれもが、全閉状態から全開状態へとスライド移動することができる。
【００３４】
窓戸開放制限装置４００をオンとすると、すなわち、ソレノイド４３０が通電状態のときには、図２に示すように、ソレノイド４３０の駆動軸４３２は引き込まれ、これに伴い、ベルクランク４４０ａが矢印ｐ方向に回動させられることにより、係止ロッド４２０ａが進出状態をとらされるとともに、ロック板４５０がばね４６０の付勢力に抗して図２、図３の左方向に移動させられ、係合縁４５５が係止ロッド４２０ａの係合凹部４２２に係合する。この状態においては、係止ロッド４２０ａが外側窓戸１００のドグ５１０に干渉するので、外側窓戸１００と内側窓戸２００は、所定量相互に開方向にスライドしてドグ５１０が係止ロッド４２０ａに当接すると、それ以上開方向にスライド移動できなくなる。また、この状態においては、ロック板４５０の係合縁４５５が係止ロッド４２０ａの係合凹部４２２に係合して、係止ロッド４２０ａの外力による退避動が阻止されるので、外部からのいたずらなどで係止ロッド４２０ａが押し込まれ、窓戸の開放制限状態が解消されてしまうことを防止することができる。
【００３５】
窓戸開放制限装置４００がオン状態からオフ状態とすると、ソレノイド４３０が非通電状態となり、本体部４３１の内蔵ばねにより、駆動軸４３２が進出させられ、これに伴い、ベルクランク４４０ａが矢印ｑ方向に回動させられることにより、係止ロッド４２０ａが退避状態へと移動を開始すると同時に、ロック板４５０がばね４６０の付勢力によって図４の右方向に移動して係合凹部４２２への係合縁４５５の係合が解消され、引き続いて係止ロッド４２０ａの退避状態への移動が可能となり、最終的に係止ロッド４２０ａは、図４に示す退避状態に復帰する。
【００３６】
また、本実施形態では、外側窓戸１００と内側窓戸２００とが全閉状態にあることを検知する全閉検出機構５００が設けられているので、外側窓戸１００と内側窓戸２００が全閉状態にあるときに窓戸開放制限装置４００をオンとすることができ、全閉状態にないとき、たとえば、全開状態にあるときには窓戸開放制限装置４００をオンとすることができないように制御することができる。これにより、外側窓戸１００と内側窓戸２００がたとえば全開状態にあるときに係止ロッド４２０ａが進出状態となり、この係止ロッド４２０ａが外側窓戸１００に干渉して、外側窓戸１００または内側窓戸２００の閉方向へのスライド移動が阻害され、両窓戸１００，２００の全閉状態が実現できなくなるといった不具合を回避することができる。
【００３７】
さらに、本実施形態では、ソレノイド４３０の通電時に駆動軸４３２が正常に引き込み動作をしているかどうかを検出するマイクロスイッチ４７０が設けられているので、窓戸開放制限装置４００がオンとなっているにもかかわらず、係止ロッド４２０ａが進出状態をとることができない異常、および、窓戸開放制限装置４００がオフとなっているにもかかかわらず、係止ロッド４２０ａが進出状態のままとなっている異常を検出することができる。
【００３８】
上記したように、窓戸開放制限装置４００がオンとなっているとき、係止ロッド４２０ａが進出状態をとることにより、外側窓戸１００または内側窓戸２００が、相対的に所定以上開方向へスライド移動することを制限できるが、この制限は、外側窓戸１００または内側窓戸２００と窓枠３２０との間がたとえば１３ｃｍ以上開かないように設定するのがよい。この１３ｃｍという制限寸法は、窓３１０を通じての室内への外気の取り入れに十分である一方、人が窓３１０から外部に出ることができない寸法として設定される。
【００３９】
上記構成の窓戸開放制限装置４００は、外側窓戸１００と内側窓戸２００の相対的なスライド移動を制限するように構成しているので、次のような使用態様がいずれも可能である。
【００４０】
（１）内側窓戸２００を窓枠３２０に固定し、外側窓戸１００のみスライド移動可能とする使用態様。この場合、外側窓戸１００と窓枠３２０との間がたとえば１３ｃｍ以上開かないように制限することができる。
（２）外側窓戸１００を窓枠３２０に固定し、内側窓戸２００のみスライド移動可能とする使用態様。この場合、内側窓戸２００と窓枠３２０との間がたとえば１３ｃｍ以上開かないように制限することができる。
（３）外側窓戸１００と内側窓戸２００のいずれもスライド移動可能とする使用態様。この場合、外側窓戸１００と窓枠３２０との間と、内側窓戸２００と窓枠３２０との間の合計寸法がたとえば１３ｃｍ以上とならないように制限することができる。
【００４１】
もちろん、この発明の範囲は、上記した実施形態に限定されるものではなく、各請求項に記載した範囲のあらゆる変更は、すべて本発明の範囲に包摂される。
【００４２】
たとえば、実施形態では、この窓戸開放制限装置４００は、筐体４１０を内側窓戸２００の下部水平枠２１１に取付けて構成しているが、上部水平枠２１７に取り付けて構成してもよい。この場合、外側窓戸１００に設けるドグ５１０は、係止ロッド４２０ａの移動軌跡に対応した高さ位置に設けるべきは、いうまでもない。
【符号の説明】
【００４３】
４００      窓戸開放制限装置
１００      外側窓戸
１１０      戸枠
２００      内側窓戸
２１０      戸枠
２１１      下部水平枠
３２０      窓枠
４１０      筐体
４１１      背板
４２０      係止部材
４２２      係合凹部
４３０      ソレノイド
４３１      本体部
４３２      駆動軸
４４０Ａ    ベルクランク機構
４４０      伝動機構
４４１      第１アーム
４４２      第２アーム
４５０      ロック板
４５０Ａ    ロック機構
５００      全閉検出機構
【図１】
2014169584.tif 000003
【図２】
2014169584.tif 000004
【図３】
2014169584.tif 000005
【図４】
2014169584.tif 000006
【図５】
2014169584.tif 000007